(57)【要約】【課題】設備の水平状態を短時間で回復させる。【解決手段】設備を据え付ける際に設備の第１の設備構成要素と第２の設備構成要素との間に配置するための据付用部材は、第１の面と、第１の面と反対側の、第１の面に対して所定の角度で傾いた第２の面と、を有する第１のリング状部材であって、第１の面と第２の面とを貫通する貫通孔が形成された第１のリング状部材と、第３の面と、第３の面と反対側の、第３の面に対して上記所定の角度で傾いた第４の面と、を有する第２のリング状部材であって、第３の面と第４の面とを貫通する貫通孔が形成され、第２の面と第４の面とが接触するように第１のリング状部材と重ねて配置されるための第２のリング状部材と、を備える。【選択図】図２
2015161191.tif 000002
【特許請求の範囲】
【請求項１】
設備を据え付ける際に該設備の第１の設備構成要素と第２の設備構成要素との間に配置するための据付用部材であって、
第１の面と、該第１の面と反対側の、該第１の面に対して所定の角度で傾いた第２の面と、を有する第１のリング状部材であって、前記第１の面と前記第２の面とを貫通する第１の貫通孔が形成された第１のリング状部材と、
第３の面と、該第３の面と反対側の、該第３の面に対して前記所定の角度で傾いた第４の面と、を有する第２のリング状部材であって、前記第３の面と前記第４の面とを貫通する第２の貫通孔が形成され、前記第２の面と前記第４の面とが接触するように前記第１のリング状部材と重ねて配置されるための第２のリング状部材と
を備えた据付用部材。
【請求項２】
請求項１に記載の据付用部材であって、
前記第１のリング状部材は、第１の外周面を有しており、該第１の外周面には、第１の孔部が設けられ、
前記第２のリング状部材は、第２の外周面を有しており、該第２の外周面には、第２の孔部が設けられた
据付用部材。
【請求項３】
請求項１または請求項２に記載の据付用部材であって、
前記第１のリング状部材と前記第２のリング状部材とは、外径が異なっており、インロー構造によって位置決め可能に構成された
据付用部材。
【請求項４】
請求項１ないし請求項３のいずれか一項に記載の据付用部材であって、
前記第１のリング状部材および前記第２のリング状部材には、該第１のリング状部材と該第２のリング状部材との周方向についての相対位置関係を把握可能なマークが付された
据付用部材。
【請求項５】
請求項１ないし請求項４のいずれか一項に記載の据付用部材であって、
前記第１のリング状部材および前記第２のリング状部材の各々には、前記第１の面と前記第３の面とが平行になる位置関係で前記第２の面と前記第４の面とを重ね合わせた際に位置が整合する孔部であって、少なくとも前記第２のリング状部材を軸方向に貫通する孔部が形成された
据付用部材。
【請求項６】
設備であって、
前記第１の設備構成要素と、
前記第２の設備構成要素と、
請求項１ないし請求項５のいずれか一項に記載の据付用部材と
を備え、
前記第１の設備構成要素は、前記第２の設備構成要素を、該第２の設備構成要素の周囲で支持するためのベースであり、
前記第１のリング状部材と前記第２のリング状部材とは、前記第２の面と前記第４の面とが重ね合わされて、前記第１の外周面および前記第２の外周面が露出した状態で、前記第１の設備構成要素と前記第２の設備構成要素との間に配置され、
前記第２の設備構成要素は、前記第１の貫通孔および前記第２の貫通孔を貫通した状態で、前記第１の設備構成要素に支持される
設備。
【請求項７】
請求項６に記載の設備であって、
前記第２の設備構成要素には、水準器を設置可能とする複数の基準面が設けられた
設備。
【請求項８】
設備であって、
前記第１の設備構成要素と、
前記第２の設備構成要素と、
請求項１ないし請求項４のいずれか一項に記載の据付用部材と
を備え、
前記第１の設備構成要素および前記第２の設備構成要素は、配管であり、
前記第１のリング状部材と前記第２のリング状部材とは、前記第２の面と前記第４の面とが重ね合わされて、前記第１の設備構成要素と前記第２の設備構成要素との間に配置され、
前記第１の貫通孔および前記第２の貫通孔によって、前記第１の設備構成要素と前記第２の設備構成要素とを連通させる流路が形成される
設備。
【発明の詳細な説明】
【技術分野】
【０００１】
本発明は、設備の据付技術に関する。
【背景技術】
【０００２】
立軸ポンプでは、その据付時に、立軸ポンプをその周囲で支持するポンプベースの下にテーパライナーなどを挿入してポンプベースの水平度を調整することによって、立軸ポンプは水平な状態で据え付けられる。かかる水平状態は、地震や地盤沈下などによって損なわれることがある。水平状態が損なわれた場合、立軸ポンプの故障を避けるために、ポンプベースを設置している躯体（コンクリート部）をはつった後にライナーを再度調整して、水平な状態を回復させてやる必要がある。
【先行技術文献】
【特許文献】
【０００３】
【特許文献１】特開２００８−１９６４５０号公報
【発明の概要】
【発明が解決しようとする課題】
【０００４】
しかしながら、上述の方法では、ポンプベース基部に挿入されたライナーの再調整を行うために、コンクリートのはつり作業、ライナーの再調整作業、コンクリートの打設作業およびコンクリートの養生期間といった一連の工程が必要となるため、立軸ポンプの水平状態を回復させて再び運転できる状態にするまでに相当の期間（例えば、１週間以上）を要していた。かかる問題は、立軸ポンプに限らず、設備構成要素がその周囲で支持される種々の設備に共通する問題と言える。このため、設備を水平な状態に短時間で回復させることができる技術が求められてきた。特許文献１には、そのような問題に鑑み、ポンプベースをそのままの状態で水平度を調整する技術が開示されている。しかしながら、数多く設置されるジャッキボルトの微調整や樹脂等の充填・硬化などになお時間を要していた。
【０００５】
また、配管工事において、複数の配管を据え付けた後に接続を行う際に、配管の据付精度や土木建築躯体の施工精度に起因して、接続すべき配管のうちの一方が他方に対して傾いて設置される場合がある。こうした配管の傾きの不整合を容易に吸収できるような接続技術が求められてきた。
【課題を解決するための手段】
【０００６】
本発明は、上述の課題の少なくとも一部を解決するためになされたものであり、例えば、以下の形態として実現することが可能である。
【０００７】
本発明の第１の形態は、設備を据え付ける際に設備の第１の設備構成要素と第２の設備構成要素との間に配置するための据付用部材として提供される。この据付用部材は、第１の面と、第１の面と反対側の、第１の面に対して所定の角度で傾いた第２の面と、を有する第１のリング状部材であって、第１の面と第２の面とを貫通する貫通孔が形成された第１のリング状部材と、第３の面と、第３の面と反対側の、第３の面に対して上記所定の角度で傾いた第４の面と、を有する第２のリング状部材であって、第３の面と第４の面とを貫通する貫通孔が形成され、第２の面と第４の面とが接触するように第１のリング状部材と重ねて配置されるための第２のリング状部材と、を備える。
【０００８】
かかる据付用部材は、第２の面と第４の面とが重ね合わされて、第１のリング状部材の外周面および第２のリング状部材の外周面が露出した状態で、相対的に下方の第１の設備
構成要素と相対的に上方の第２の設備構成要素との間に第１のリング状部材および第２のリング状部材を配置して使用することができる。かかる据付用部材によれば、設備の据え付け後に、地震や地盤沈下などによって第１の設備構成要素の水平状態が損なわれ、その結果、前記第２の設備構成要素の水平状態が損なわれたとしても、第１のリング状部材と第２のリング状部材とを相対的に回転させる（すなわち、第１のリング状部材および第２のリング状部材の少なくとも一方を回転させる）ことによって、第２の設備構成要素の水平状態を回復させることができる。かかる回復作業は、コンクリートのはつりおよび打設を行う場合と比べて、極めて短時間で実施することができる。
【０００９】
本発明の第２の形態によれば、第１の形態において、第１のリング状部材は、第１の外周面を有しており、第１の外周面には、第１の孔部が設けられる。第２のリング状部材は、第２の外周面を有しており、第２の外周面には、第２の孔部が設けられる。かかる形態によれば、第１のリング状部材を回転させるための部材（回転力を第１のリング状部材に作用させるための部材）を第１の孔部に挿入することにより、第１のリング状部材を容易に回転させることができる。第２の孔部についても同様である。なお、第１のリング状部材および第２のリング状部材のうちの一方のみを回転させる場合には、第１または第２の孔部は、他方のリング状部材を静止させるための部材を挿入することにも使用できる。
【００１０】
本発明の第３の形態によれば、第１または第２の形態において、第１のリング状部材と第２のリング状部材とは、外径が異なっており、インロー構造によって位置決め可能に構成される。かかる形態によれば、第１のリング状部材と第２のリング状部材とを相対的に回転させる場合に、第１のリング状部材と第２のリング状部材との相対位置が径方向に大きくずれることがないので、第１のリング状部材および第２のリング状部材の貫通孔内に第２の設備構成要素の一部分が存在しても、当該一部分が圧迫されるなどの影響を受けることがない。
【００１１】
本発明の第４の形態によれば、第１ないし第３のいずれかの形態において、第１のリング状部材および第２のリング状部材には、第１のリング状部材と第２のリング状部材との周方向についての相対位置関係を把握可能なマークが付される。かかる形態によれば、第１のリング状部材と第２のリング状部材とを相対的に回転させる場合の周方向の相対位置を容易に把握できるので、回転作業が容易となる。
【００１２】
本発明の第５の形態によれば、第１ないし第４のいずれかの形態において、第１のリング状部材および第２のリング状部材の各々には、第１の面と第３の面とが平行になる位置関係で第２の面と第４の面とを重ね合わせた際に位置が整合する孔部であって、少なくとも第２のリング状部材を軸方向に貫通する孔部が形成される。かかる形態によれば、設備の据付時において、第１の面と第３の面とが平行の状態で位置調節部材を第１の設備構成要素と第２の設備構成要素との間に容易に配置でき、初期の据付時における施工期間（時間）を短縮することができる。このように配置すれば、第１のリング状部材および第２のリング状部材の回転量に応じて最大で所定角度の２倍まで第２の設備構成要素の傾きを調整することができる設備となる。
【００１３】
本発明の第６の形態によれば、設備が提供される。この設備は、第１の設備構成要素と、第２の設備構成要素と、第１ないし第５のいずれかの形態の据付用部材と、を備える。第１の設備構成要素は、第２の設備構成要素を、第２の設備構成要素の周囲で支持するためのベースである。第１のリング状部材と第２のリング状部材とは、第２の面と第４の面とが重ね合わされて、第１の外周面および第２の外周面が露出した状態で、第１の設備構成要素と第２の設備構成要素との間に配置される。第２の設備構成要素は、第１の貫通孔および第２の貫通孔を貫通した状態で、第１の設備構成要素に支持される。かかる設備によれば、第１ないし第５の据付用部材と同様の効果を奏する。
【００１４】
本発明の第７の形態によれば、第６の形態において、第２の設備構成要素には、水準器を設置可能とする複数の基準面が設けられる。かかる形態によれば、基準面に水準器を設置して、第１のリング状部材と第２のリング状部材とを、水準器の表示に基づいて所要量だけ相対的に回転させて、第２の設備構成要素の水平状態を容易に回復させることができる。
【００１５】
本発明の第８の形態によれば、設備が提供される。この設備は、第１の設備構成要素と、第２の設備構成要素と、第１ないし第４のいずれかの形態の据付用部材と、を備える。第１の設備構成要素および第２の設備構成要素は、配管である。第１のリング状部材と第２のリング状部材とは、第２の面と第４の面とが重ね合わされて、第１の設備構成要素と第２の設備構成要素との間に配置される。第１の貫通孔および第２の貫通孔によって、第１の設備構成要素と第２の設備構成要素とを連通させる流路が形成される。かかる設備によれば、第１の設備構成要素としての配管と、第２の設備構成要素としての配管と、を据え付けた後に、これらの配管の接続を行う場合に、配管の据付精度に起因して、これらの配管のうちの一方が他方に対して傾いて設置されたとしても、これらの配管の間の隙間に適合するように第１のリング状部材と第２のリング状部材とを相対的に回転させた後に、当該第１のリング状部材と第２のリング状部材を当該隙間に挿入することによって、現地にて容易に上記傾きを吸収して施工することができる。
【００１６】
本発明は、上述の形態の他、設備の第１の設備構成要素と第２の設備構成要素との相対的な位置関係を設備の据付後に調節するための方法、などとしても実現可能である。
【図面の簡単な説明】
【００１７】
【図１】本発明の一実施例としての立軸ポンプ設備の概略構成を示す断面図である。
【図２】据付用部材を用いてポンプベース上に立軸ポンプを据え付けた状態を示す概略図である。
【図３】図２に示す据付用部材およびポンプベースの拡大図である。
【図４】２つのリング状部材を相対的に回転させた場合の２つのリング状部材の相対位置の変化を模式的に表す説明図である。
【図５】２つのリング状部材の他の使用形態を示す説明図である。
【発明を実施するための形態】
【００１８】
Ａ．第１実施例：
図１は、本発明の設備の一実施例としてのポンプ設備１０の概略構成である。ポンプ設備１０は、設備構成要素としてのポンプベース２０および立軸ポンプ３０を備えている。立軸ポンプ３０は、吊下管３１と、ポンプボウル３２と、吸込ベルマウス３３と、シャフト３４と、外軸受３５と、水中軸受３６と、インペラ３７と、取付部３８とを備えている。鉛直方向に延在するシャフト３４は、外軸受３５と水中軸受３６とによって支持されている。このシャフト３４の一端には、ポンプボウル３２の内部においてインペラ３７が設けられている。シャフト３４の他端には、原動機３９が連結されている。原動機３９は原動機台３９ａに据え付けられている。原動機３９によって提供される駆動力によってシャフト３４が回転し、同時にインペラ３７が回転することにより、吸込ベルマウス３３から上方に水槽９２内の水が汲み上げられる。
【００１９】
かかる立軸ポンプ３０は、ポンプ据付床９０に形成されたポンプ据付孔９１を貫通するようにポンプ据付床９０に据え付けられる。具体的には、ポンプ据付孔９１の上側の端部には、ポンプベース２０が周方向の全体に亘って形成されている。ポンプベース２０は、初期の設置時に、ベース下に設けられたライナー２１によって水平（鉛直方向に対して垂直）になるよう調整された後、２次コンクリート９０ａによりコンクリート内に埋め込ま
れた基礎として構築される。立軸ポンプ３０は、その取付部３８がポンプベース２０上に据付用部材４０（詳細は後述する）を介して載置される。
【００２０】
かかる立軸ポンプ３０では、立軸ポンプ３０に連結された原動機３９が原動機台３９ａに固定される一方で、立軸ポンプ３０がポンプベース２０に固定されるので、ポンプ設備１０の据付後に地震や地盤沈下などによって土木躯体が傾斜し、ポンプベース２０上面の水平状態が損なわれると、芯ずれが立軸ポンプ３０の振動を誘発し、故障に至る虞を生じる。このため、本実施例では、ポンプベース２０上面の水平状態が損なわれた場合に、立軸ポンプ３０を水平な状態に回復させるために、ポンプベース２０と立軸ポンプ３０との間に上述した据付用部材４０を挿入している。
【００２１】
図２は、据付用部材４０を用いてポンプベース２０上に立軸ポンプ３０を据え付けた据付当初（初期時）の状態を示す概略図である。図示するように、ポンプベース２０と、立軸ポンプ３０の取付部３８と、の間に配置される据付用部材４０は、第１のリング状部材５０と第２のリング状部材６０とを備えている。第１のリング状部材５０はリング状の部材であり、第１の面５１と、第１の面５１と反対側の第２の面５２と、を備えている。第１の面５１および第２の面５２は平坦な面であり、第２の面５２は水平な第１の面５１に対して角度θだけ傾いている（図３参照）。角度θは、任意の値で設定可能であるが、本実施例では、勾配に換算して２／１０００程度（約０．１度）を想定している。従って、図２〜４では、角度θを誇張して示している。第１のリング状部材５０の中央部には、第１の面５１および第２の面５２を貫通する第１の貫通孔５３が形成されている。同様に、第２のリング状部材６０は、リング状の部材であり、第３の面６１と、第３の面６１と反対側の第４の面６２と、を備えている。第３の面６１および第４の面６２も平坦な面であり、第４の面６２は水平な第３の面６１に対して角度θだけ傾いている。つまり、第３の面６１に対する第４の面６２の傾きと、第１の面５１に対する第２の面５２の傾きとは、等しい。第２のリング状部材６０の中央部には、第３の面６１および第４の面６２を貫通する第２の貫通孔６３が形成されている。
【００２２】
かかる第１のリング状部材５０と第２のリング状部材６０とは、第２の面５２と第４の面６２とが接触するように重ねられ、第１のリング状部材５０が下方、第２のリング状部材６０が上方となるようにポンプベース２０上に載置されている。据付当初、ポンプベース２０の上面は水平に調整されているので、第１の面５１も水平に配置されている。また、第３の面６１に対する第４の面６２の傾きと、第１の面５１に対する第２の面５２の傾きは等しいので、第１の面５１と第３の面６１とは平行であり、従って第３の面６１も水平に配置されている。第１の貫通孔５３と第２の貫通孔６３とは、同一の孔軸線ＡＬを有している。立軸ポンプ３０は、吊下管３１が第１の貫通孔５３および第２の貫通孔６３を貫通するように配置される。第１のリング状部材５０の外周面５４（図３参照）と、第２のリング状部材６０の外周面６４（図３参照）とは、露出した状態になっている。
【００２３】
図３は、図２に示される領域Ａ１の詳細を示す拡大図である。図示するように、第２のリング状部材６０の外径は、第１のリング状部材５０の外径よりも小さく形成されており、第１のリング状部材５０は、その内側に第２のリング状部材６０を嵌め込み可能に構成されている。つまり、第１のリング状部材５０と第２のリング状部材６０とは、インロー構造によって位置決め可能に構成されている。かかるインロー構造において、第１のリング状部材５０と第２のリング状部材６０との間には、径方向に所定のクリアランス（図示省略）すなわち隙間が確保されている。同様に、ポンプベース２０と第１のリング状部材５０との間、および、第２のリング状部材６０と取付部３８との間についても、所定のクリアランスを有するインロー構造によって位置決め可能に構成されている。これらのクリアランスは、後述する第１のリング状部材５０と第２のリング状部材６０との相対的な回転が可能となるように設けられる。これらのインロー構造によれば、径方向における立軸
ポンプ３０と据付用部材４０（据付用部材４０および第１のリング状部材５０）との相対位置、および、径方向における据付用部材４０と第１のリング状部材５０との相対位置が大きくずれることがないので、第１のリング状部材５０および第２のリング状部材６０の少なくとも一方が、径方向にずれて、リング状部材の調整時に支障を来すことがなく、第１の貫通孔５３および第２の貫通孔６３を貫通する吊下管３１に衝突することもない。
【００２４】
かかるポンプ設備１０では、地震や地盤沈下などによってポンプベース２０上面の水平状態が損なわれ、それによって、立軸ポンプ３０の水平状態が損なわれた場合、第１のリング状部材５０と第２のリング状部材６０とを相対的に回転させることによって、立軸ポンプ３０を水平状態に回復させることが可能である。第１のリング状部材５０と第２のリング状部材６０との相対的な回転作業は、例えば、立軸ポンプ３０をジャッキアップした状態で実施される。
【００２５】
図４は、第１のリング状部材５０と第２のリング状部材６０とを相対的に回転させた場合の、第１のリング状部材５０と第２のリング状部材６０との相対位置の変化を模式的に示したものである。図４（ａ）は、立軸ポンプ３０の初期据付時の状態を示す。図示するように、図３と同様に、第１の面５１と第３の面６１とは平行であり、いずれも水平に配置されている。一方、図４（ｂ）は、第１のリング状部材５０を固定し、孔軸線ＡＬ（図２参照）を中心として第２のリング状部材６０を１８０度回転させた状態を示している。この場合、第１の面５１は、水平のままであるが、第３の面６１は、第１の面５１に対して、角度２θ分だけ傾くことになる。なお、図面には第１の面５１を水平とした場合の調整について説明をしているが、実際の設備においては躯体側（第１の面５１側）が傾斜するため、面６１が水平となるよう調整を行う。
【００２６】
かかる第１の面５１と第３の面６１との傾きは、第１のリング状部材５０に対する第２のリング状部材６０の回転量を調節することによって、０度以上２θ以下の範囲で調節が可能である。また、第２のリング状部材６０だけでなく、第１のリング状部材５０を回転させてもよい。第１のリング状部材５０を回転させることによって、第１のリング状部材５０の高さが最も低くなる位置を周方向に沿って移動させることができる。このように、第１のリング状部材５０および第２のリング状部材６０の少なくとも一方を回転させる構成とすれば、ポンプベース２０の水平状態がどのような方向の傾きで損なわれたとしても、立軸ポンプ３０の水平状態を０度以上２θ以下の範囲で好適に回復させることができる。
【００２７】
また、図４（ａ）に示す状態では、第１のリング状部材５０の外周面５４と第２のリング状部材６０の外周面６４とは、同じ方向を向いているが、図４（ｂ）に示す状態では、外周面５４と外周面６４とは、向きが異なることになる。換言すれば、図４（ｂ）の状態では、第４（ａ）の状態と比べて、第２のリング状部材６０の一部分は、外側に突出する。上述したクリアランスは、このように突出する部分を収容できるように決定される。
【００２８】
ここで説明を図３に戻す。図示するように、第１のリング状部材５０の外周面５４には、第１の孔部５５が形成されている、同様に、第２のリング状部材６０の外周面６４には、第２の孔部６５が形成されている。本実施例では、第１の孔部５５および第２の孔部６５には、雌ねじが形成されている。かかる第１の孔部５５および第２の孔部６５は、第１のリング状部材５０と第２のリング状部材６０とを相対的に回転させる際に利用することができる。例えば、第１の孔部５５および第２の孔部６５にアイボルトを挿入し、アイボルトにウインチ等の引っ張り機器を接続してもよい。かかる構成は、第１のリング状部材５０および第２のリング状部材６０の一方のみを回転させ、他方を静止させる場合にも利用可能である。かかる構成とすれば、第１の孔部５５および第２の孔部６５に挿入されたアイボルトの少なくとも一方を引っ張ることによって、第１の孔部５５および第２の孔部
６５の一方または両方を容易に回転させることができる。なお、第１の孔部５５および第２の孔部６５は、第１のリング状部材５０または第２のリング状部材６０を回転または静止させるための部材を係止可能な任意の形状とすることができる。
【００２９】
また、図３に示すように、第１のリング状部材５０の第２の面５２には、孔部５６が形成されており、第２のリング状部材６０には、第３の面６１および第４の面６２を貫通する孔部６６が形成されている。孔部５６と孔部６６とは、第１の面５１と第３の面６１とが平行になる第１のリング状部材５０と第２のリング状部材６０との位置関係において整合するようにすなわちピタリ一致するように形成されている。かかる孔部５６，６６には、ボルト６９が挿入されている。かかる構成によれば、第１のリング状部材５０と第２のリング状部材６０との相対位置を、立軸ポンプ３０の初期据付時に必要な位置関係に固定できるので、初期据付作業を容易に行うことができる。ボルト６９は、第１のリング状部材５０および第２のリング状部材６０を据え付けた後は取り外されてもよい。
【００３０】
上述したポンプ設備１０によれば、ポンプ設備１０の据付後に、地震や地盤沈下などによってポンプベース２０の上面の水平状態が損なわれ、その結果、立軸ポンプ３０の水平状態が損なわれたとしても、第１のリング状部材５０と第２のリング状部材６０とを相対的に回転させることによって、立軸ポンプ３０の水平状態を回復させることができる。かかる回復作業は、コンクリートをはつり、ライナー２１を再調整した後にコンクリートの打設を行う従来の方法と比べて、極めて短時間で実施することができる。第１のリング状部材５０と第２のリング状部材６０とを所要量だけ回転させた後は、固定部材（例えば、ノックピン、ノックボルトなど）を使用して、ポンプベース２０と第１のリング状部材５０と第２のリング状部材６０とを固定しておくことが望ましい。こうすれば、立軸ポンプ３０の運転に伴う振動よって、これらの相対的な位置関係がずれることを確実に防止できる。
【００３１】
Ｂ．第２実施例：
図５は、上述した据付用部材４０（第１のリング状部材５０および第２のリング状部材６０）の他の使用形態を示す。図５（ａ）は、配管設備を構成する設備構成要素としての第１の配管１１１と第２の配管１１２とが据え付けられた状態を示す。図示するように、第１の配管１１１は、完全に水平に設置されているが、第２の配管１１２は、据付精度に起因して、第１の配管１１１に対して、すなわち水平に対して僅かに傾いて設置されている。かかる第１の配管１１１と第２の配管１１２とを接続する際に、上述した据付用部材４０を使用することができる。
【００３２】
図５（ｂ）は、第１の配管１１１と第２の配管１１２との間に据付用部材１４０を配置した状態を示す。据付用部材１４０の構成は、第１実施例の据付用部材４０と同じである。据付用部材１４０は、上述した第１のリング状部材５０に対応する第１のリング状部材１５０と、上述した第２のリング状部材６０に対応する第２のリング状部材１６０と、を備えている。かかる据付用部材１４０は、第１の配管１１１と第２の配管１１２との間の隙間に適合するように、第１のリング状部材１５０と第２のリング状部材１６０とを相対的に回転させた後に、当該隙間に挿入することができる。この場合、上述した第１の貫通孔５３に対応する第１の貫通孔１５３と、上述した第２の貫通孔６３に対応する第２の貫通孔１６３とは、第１の配管１１１と第２の配管１１２とを連通させる流路となる。第１の配管１１１、第１のリング状部材１５０、第２のリング状部材１６０および第２の配管１１２のそれぞれの間には、公知の種々のシール部材を配置することができる。かかる構成とすれば、第１の配管１１１に対する第２の配管１１２の傾きを好適に吸収できる。なお、第１の配管１１１と第２の配管１１２までの面間距離が長い場合は、据付用部材１４０に面間距離調整用の短管を併設して用いることが好ましい。
【００３３】
Ｃ．変形例：
Ｃ−１．変形例１：
第１実施例において、立軸ポンプ３０のケーシングには、水準器を設置可能とする複数の基準面（機械加工面）が設けられていてもよい。基準面に水準器を設置して、第１のリング状部材５０と第２のリング状部材６０とを、水準器の表示に基づいて所要量だけ相対的に回転させることにより、立軸ポンプ３０の水平状態を容易に回復させることができる。基準面は、４つ以上設けられることが望ましい。こうすれば、立軸ポンプ３０の複雑な傾きにも対応可能である。また、水準器は、基準面に常設されていてもよい。
【００３４】
Ｃ−２．変形例２：
第１のリング状部材５０を回転または静止させるための部材（上述の例では、アイボルト）は、第１のリング状部材５０と一体的に形成されていてもよい。第２のリング状部材６０についても同様である。
【００３５】
Ｃ−３．変形例３：
上述した据付用部材４０は、立軸ポンプ３０に限らず、設備構成要素がその周囲で支持される種々の設備、例えば、弁設備にも適用可能である。
【００３６】
以上、いくつかの実施例に基づいて本発明の実施の形態について説明してきたが、上記した発明の実施の形態は、本発明の理解を容易にするためのものであり、本発明を限定するものではない。本発明は、その趣旨を逸脱することなく、変更、改良され得るとともに、本発明にはその等価物が含まれることはもちろんである。また、上述した課題の少なくとも一部を解決できる範囲、または、効果の少なくとも一部を奏する範囲において、特許請求の範囲および明細書に記載された各構成要素の任意の組み合わせ、または、省略が可能である。
【符号の説明】
【００３７】
１０…ポンプ設備
２０…ポンプベース
２１…ライナー
３０…立軸ポンプ
３１…吊下管
３２…ポンプボウル
３３…吸込ベルマウス
３４…シャフト
３５…外軸受
３６…水中軸受
３７…インペラ
３８…取付部
３９…原動機
３９ａ…原動機台
４０，１４０…据付用部材
５０，１５０…第１のリング状部材
５１…第１の面
５２…第２の面
５３，１５３…第１の貫通孔
５４…外周面
５５…第１の孔部
５６…孔部
６０，１６０…第２のリング状部材
６１…第３の面
６２…第４の面
６３，１６３…第２の貫通孔
６４…外周面
６５…第２の孔部
６６…孔部
６９…ボルト
９０…ポンプ据付床
９０ａ…２次コンクリート
９１…ポンプ据付孔
９２…水槽
１１１…第１の配管
１１２…第２の配管
ＡＬ…孔軸線
【図１】
2015161191.tif 000003
【図２】
2015161191.tif 000004
【図３】
2015161191.tif 000005
【図４】
2015161191.tif 000006
【図５】
2015161191.tif 000007